(57)【要約】【課題】テレビジョン受像機の操作が、高度な機能を操作する場合と、基本的な機能だけを操作する場合のいずれの場合でも良好にできるようにする。【解決手段】テレビジョン受像機１００で、第１のリモートコントロール装置１０からのリモートコントロール信号の受信と、第２のリモートコントロール装置２０からのリモートコントロール信号の受信とを判別する。そして、受信したリモートコントロール信号のコードで示される指令によるテレビジョン受像機１００での動作の制御状態を、判別結果で第１のリモートコントロール装置１０からの信号と判別した場合と、第２のリモートコントロール装置２０からの信号と判別した場合とで、異なる制御状態に設定するようにした。【選択図】図１
2008193425.tif 000002
【特許請求の範囲】
【請求項１】
受信又は入力した映像信号による映像を表示する表示部と、
リモートコントロール信号を受信するリモートコントロール信号受信部と、
前記リモートコントロール信号受信部で受信したリモートコントロール信号により前記表示部での表示を制御し、受信したリモートコントロール信号からリモートコントロール信号送信元の種類を判別し、その判別した種類により、前記表示部で表示させる表示状態を、同一機能について用意された複数種類の表示の中から選定したものとする制御部とを備えたことを特徴とする
テレビジョン受像機。
【請求項２】
請求項１記載のテレビジョン受像機において、
前記複数種類の表示は、表示させる文字又は数字のサイズが異なる複数種類の表示であることを特徴とする
テレビジョン受像機。
【請求項３】
請求項１記載のテレビジョン受像機において、
前記複数種類の表示は、第１の種類の機能選択を行う表示と、前記第１の種類の中の限られた種類である第２の種類の機能選択を行う表示とであることを特徴とする
テレビジョン受像機。
【請求項４】
請求項１記載のテレビジョン受像機において、
前記複数種類の表示は、第１のスタイルの表示と、第２のスタイルの表示とであることを特徴とする
テレビジョン受像機。
【請求項５】
請求項１記載のテレビジョン受像機において、
前記複数種類の表示は、第１の入力に切替える表示の変化と、第２の入力に切替える表示の変化とであることを特徴とする
テレビジョン受像機。
【請求項６】
請求項１記載のテレビジョン受像機において、
前記制御部は、前記複数種類の表示の中からの選定に対応して、映像に対応した音声の出力状態についても、第１の音声出力状態と第２の音声出力状態とで変化させることを特徴とする
テレビジョン受像機。
【請求項７】
テレビジョン受像機と、前記テレビジョン受像機を制御する第１のリモートコントロール装置と、前記テレビジョン受像機を制御する第２のリモートコントロール装置とで構成された制御システムであり、
前記テレビジョン受像機として、
受信又は入力した映像信号による映像を表示する表示部と、
リモートコントロール信号を受信するリモートコントロール信号受信部と、
前記リモートコントロール信号受信部で受信したリモートコントロール信号により前記表示部での表示を制御し、受信したリモートコントロール信号からリモートコントロール信号送信元が前記第１のリモートコントロール装置か前記第２のリモートコントロール装置かを判別し、その判別した種類により、前記表示部で表示させる表示状態を、同一機能について用意された複数種類の表示の中から選定したものとする制御部とを備えたことを特徴とする
制御システム。
【請求項８】
テレビジョン受像機と、前記テレビジョン受像機を制御する第１のリモートコントロール装置と、前記テレビジョン受像機を制御する第２のリモートコントロール装置とで構成されたシステムに適用される制御方法であり、
前記テレビジョン受像機で、前記第１のリモートコントロール装置からのリモートコントロール信号の受信と、前記第２のリモートコントロール装置からのリモートコントロール信号の受信とを判別し、
受信したリモートコントロール信号のコードで示される指令によるテレビジョン受像機での動作の制御状態を、前記判別結果で前記第１のリモートコントロール装置からの信号と判別した場合と、前記第２のリモートコントロール装置からの信号と判別した場合とで、異なる制御状態に設定することを特徴とする
制御方法。
【発明の詳細な説明】
【技術分野】
【０００１】
本発明は、リモートコントロール装置により遠隔制御可能なテレビジョン受像機、及びそのテレビジョン受像機とリモートコントロール装置で構成される制御システム、並びにそのシステムに適用される制御方法に関する。
【背景技術】
【０００２】
テレビジョン受像機においては、リモートコントロール装置を使用して遠隔制御可能に構成することが一般的である。リモートコントロール装置から送信される信号としては、例えば赤外線信号を送信する構成として、その赤外線信号をテレビジョン受像機が受信することで、電源のオン・オフ、チャンネル切替え、音量のアップ・ダウン、入力切替え、各種機能設定などが行える。
【０００３】
特許文献１には、リモートコントロール装置で遠隔制御される電気機器の例についての開示がある。特許文献１には、複数のリモートコントロール装置で１台の機器を操作することについての記載がある。
【特許文献１】特開２００３−２３３９７７号公報
【発明の開示】
【発明が解決しようとする課題】
【０００４】
近年、テレビジョン受像機は多機能化する傾向にあり、リモートコントロール装置で操作できる機能についても増える傾向にある。従って、テレビジョン受像機に付属するリモートコントロール装置の構成として、各種機能に対応した多数の操作キーが配置される傾向にある。
【０００５】
多機能に対応したリモートコントロール装置を用意することで、様々な機能の遠隔操作が可能となるが、テレビジョン受像機を使用するユーザによっては、比較的単純な機能しか操作しない場合がある。例えば、電子機器の操作が苦手な高齢者や子供は、電源のオン・オフ、チャンネル切替え、音量のアップ・ダウンなどの基本的な機能しか操作しない場合が多々ある。そのような場合には、多数の操作キーがリモートコントロール装置に配置されていると、かえって操作時に戸惑うことになり、必ずしも使い勝手が良いとは言えない。
【０００６】
この問題点を解決するために、多数の操作キーを配置した多機能化したリモートコントロール装置と、基本的な機能の操作キーだけを配置したシンプル型のリモートコントロール装置との２台を用意して、その２台のリモートコントロール装置をテレビジョン受像機の付属品としてユーザに配布するようにしたものがある。
このようにしたことで、テレビジョン受像機を操作するユーザによって、使用するリモートコントロール装置を選択することで、高度な機能を操作するユーザと、基本的な機能しか操作しないユーザのいずれの場合でも、リモートコントロール装置を使い勝手良く操作できる。
【０００７】
ところが、このように２種類のリモートコントロール装置を用意した場合でも、テレビジョン受像機側での表示などの設定については、予め設定した状態での表示しか行えず、使用するユーザに対応した表示などを行うことは不可能であった。特に、近年のテレビジョン受像機においては、表示画面上に操作に対応したメニュー画面などの案内表示を行い、その案内表示に従ってリモートコントロール装置の操作キーなどを順に操作して、所望の操作や設定などが行える、いわゆるＧＵＩ（グラフィック・ユーザ・インターフェース）表示を行う場合が多々ある。このようなＧＵＩ表示による操作を考えた場合、多機能化されたテレビジョン受像機の場合には、メニュー画面などで多数の操作項目が表示されることになる。
【０００８】
しかしながら、上述したシンプル型のリモートコントロール装置を操作するユーザにとっては、多数の操作項目が表示されるメニュー画面は、不要な機能が多数表示された状態であり、煩わしい表示となってしまい、好ましくない。
【０００９】
本発明はかかる点に鑑みてなされたものであり、テレビジョン受像機の如き多機能化された機器の操作が、高度な機能を操作する場合と、基本的な機能だけを操作する場合のいずれの場合でも良好にできるようにすることを目的とする。
【課題を解決するための手段】
【００１０】
本発明は、テレビジョン受像機と、そのテレビジョン受像機を制御する第１のリモートコントロール装置と、テレビジョン受像機を制御する第２のリモートコントロール装置とで構成されたシステムに適用される。
テレビジョン受像機で、第１のリモートコントロール装置からのリモートコントロール信号の受信と、第２のリモートコントロール装置からのリモートコントロール信号の受信とを判別する。そして、受信したリモートコントロール信号のコードで示される指令によるテレビジョン受像機での動作の制御状態を、判別結果で第１のリモートコントロール装置からの信号と判別した場合と、第２のリモートコントロール装置からの信号と判別した場合とで、異なる制御状態に設定するようにした。
【００１１】
このようにしたことで、第１のリモートコントロール装置を操作した場合のテレビジョン受像機での表示などの制御状態と、第２のリモートコントロール装置を操作した場合のテレビジョン受像機での表示などの制御状態とが異なる状態に設定される。従って、例えば第１のリモートコントロール装置を操作した場合には、多機能の操作に対応した画面表示を行い、第２のリモートコントロール装置を操作した場合には、シンプル操作に対応した画面表示を行うようする等、リモートコントロール装置の種類に対応した様々な表示設定が可能になる。
【発明の効果】
【００１２】
本発明によると、複数用意したリモートコントロール装置毎に、テレビジョン受像機側で異なる表示を行うことが可能になり、それぞれのリモートコントロール装置を操作するユーザに合わせた表示を行うことが可能になる。従って、高度な機能を操作するユーザに対応した表示と、基本的な機能だけを操作するユーザに対応した表示などの、様々な表示が、使用するリモートコントロール装置の選定だけで行え、いずれのユーザにとっても良好な表示や操作が行える。
【発明を実施するための最良の形態】
【００１３】
以下、本発明の一実施の形態を、図１〜図９を参照して説明する。
【００１４】
本実施の形態の例においては、テレビジョン受像機と、そのテレビジョン受像機の付属品として用意された２台のリモートコントロール装置とで構成されたシステムとしてある。図１はそのシステム構成例を示した図である。
【００１５】
テレビジョン受像機１００は、赤外線信号によるリモートコントロール信号を受信（受光）する構成としてある。リモートコントロール信号を送信するリモートコントロール装置としては、シンプル型リモートコントロール装置１０と、多機能型リモートコントロール装置２０とを用意する。
【００１６】
シンプル型リモートコントロール装置１０は、図１に示すように、チャンネル選択キー１１と、音量アップ・ダウンキー１２と、チャンネルアップ・ダウンキー１３と、電源キー１４と、機能キー１５などを備える。機能キー１５は、テレビジョン受像機１００に用意された基本的な機能に対応して用意されたキーで、例えば入力切替キー、メニュー画面表示キーなどが用意してある。
【００１７】
多機能型リモートコントロール装置２０は、図１に示すように、チャンネル選択キー２１と、音量アップ・ダウンキー２２とチャンネルアップ・ダウンキー２３と、電源キー２４と、十字キー２５と、機能キー２６とを備える。十字キー２５は、テレビジョン受像機１００の表示画面上での選択位置（カーソル位置など）を指定し、さらにその指定された位置の確定操作を行う、表示と操作を連動させた、いわゆるＧＵＩ操作を行うためのキーである。機能キー２６は、シンプル型リモートコントロール装置１０の機能キー１５よりも多くの数のキーが用意してあり、機能キー２６の操作で、比較的高度な操作が行えるようにしてある。即ち、シンプル型リモートコントロール装置１０の機能キー１５と同様の機能キーを備えるだけでなく、さらに別の機能キーも用意してある。
【００１８】
これら２台のリモートコントロール装置１０，２０は、それぞれのリモートコントロール装置１０，２０に配置されたキーがユーザにより押されたときに、その押されたキーに対応した制御コードのリモートコントロール信号を、赤外線信号として送信する。このリモートコントロール装置から送信されるリモートコントロール信号の制御コードには、図１に示すようにカテゴリコードが付与させてあり、１単位のリモートコントロール信号として、カテゴリコードと制御コードとのペアで送信する構成としてある。但し、１回のキー操作で、複数回カテゴリコードと制御コードとを繰り返し送信する場合もある。
【００１９】
本例においては、このリモートコントロール信号のカテゴリコードを、シンプル型リモートコントロール装置１０と多機能型リモートコントロール装置２０とで異なるカテゴリコードとしてある。
例えば、多機能型リモートコントロール装置２０のカテゴリコードとして、従来から使用されているテレビジョン受像機のリモートコントロール装置用のカテゴリコードＴＶ１とし、シンプル型リモートコントロール装置１０としては、それとは別の、新規に割当てたテレビジョン受像機のリモートコントロール装置用のカテゴリコードＴＶ２とする（図１参照）。そのカテゴリコードＴＶ１又はＴＶ２に続いて送信される制御コードについては、共通のコード体系のものを使用する。制御コードは、チャンネルアップ、チャンネルダウン、音量アップ、音量ダウンなどのテレビジョン受像機の操作ごとに予め決められたコードのデータである。
【００２０】
テレビジョン受像機１００側では、受信（受光）したリモートコントロール信号が、テレビジョン受像機用のリモートコントロール装置のカテゴリコードである限りは、いずれのカテゴリコードのリモートコントロール信号についても受け付ける。即ち、図１の例では、カテゴリコードＴＶ１，ＴＶ２を受信した場合にも、そのカテゴリコードＴＶ１，ＴＶ２に続いて伝送される制御コードに対応した動作制御を行う。
【００２１】
図２は、本実施の形態によるテレビジョン受像機１００の内部構成例を示した図である。テレビジョン受像機１００には、地上放送波用アンテナ１０１とデジタル放送波用アンテナ１０２とが、アンテナケーブルを介して接続してある。
地上放送波用アンテナ１０１で受けて供給される信号は、地上波チューナ１１１で指定されたチャンネルの放送信号の受信処理が行われ、その受信された放送信号がビデオデコーダ１１２に供給されて、映像データの復調が行われる。ビデオデコーダ１１２で復調された映像信号は、映像信号処理回路１２１に送られる。
【００２２】
デジタル放送用のアンテナ１０２で受けて供給される信号は、デジタルチューナ１１４で指定されたチャンネルの放送信号の受信処理が行われ、その受信された放送信号がＭＰＥＧデコーダ１１５に供給されて、ＭＰＥＧ方式からのデコード処理が行われる。デコードされた映像データは、映像信号処理回路１２１に送られる。
各チューナ１１１，１１４での受信チャンネルは、後述する中央制御ユニット（ＣＰＵ）１４１により制御される。
【００２３】
映像信号処理回路１２１では、チューナ１１１又は１１４で受信して得た映像信号を表示させるための各種映像処理が行われる。処理された映像信号はグラフィック生成回路１２２に送られて、表示パネル１２４を駆動するための信号処理を行い、その処理された信号をパネル駆動回路１２３に送って、表示パネル１２４で映像信号による映像表示を行う。表示パネル１２４としては、液晶表示パネル，有機ＥＬパネルなどの各種方式の映像表示パネルが適用可能である。
【００２４】
地上波チューナ１１１で受信して得た音声信号は、音声アナログ／デジタル変換器１１３に供給してデジタル音声信号に変換し、変換した音声信号を音声信号処理回路１３１に供給する。
デジタルチューナ１１４で受信して受信した放送信号に含まれる音声信号は、ＭＰＥＧデコーダ１１５で分離して、音声信号処理回路１３１に供給する。
【００２５】
音声信号処理回路１３１では、音質調整などの出力用の音声処理を行い、アナログ音声信号として音声増幅回路１３２に供給する。音声増幅回路１３２では、スピーカ駆動用に増幅を行い、その増幅された音声信号をスピーカ１３３に供給して放音させる。
【００２６】
なお、本例のテレビジョン受像機１００は、外部からのアナログ映像信号及び音声信号が入力される入力端子１０３と、ＨＤＭＩ（High-Definition Multimedia Interface）規格のデジタル映像信号などが入力されるＨＤＭＩ端子１０４とを備える。
入力端子１０３に得られる映像信号はビデオデコーダ１１２に供給し、入力端子１０３に得られる音声信号は音声アナログ／デジタル変換器１１３に供給する。
ＨＤＭＩ端子１０４に入力した信号は、ＨＤＭＩ受信部１１６に供給し、このＨＤＭＩ受信部１１６で抽出した映像信号を映像信号処理回路１２１に供給し、ＨＤＭＩ受信部１１６で抽出した音声信号を音声信号処理回路１３１に供給する。
これらの入力端子１０３に入力した信号の選択は、中央制御ユニット１４１の制御で実行される。
【００２７】
さらに、本例のテレビジョン受像機１００は、ネットワーク端子１４７を備え、ネットワークインターフェイス部１４６で、外部ネットワークとのデータのやり取りが行える構成としてある。ネットワークインターフェイス部１４６では、ネットワーク端子１４７で接続された伝送路を経由して映像データなどを受信した場合に、その受信データを内部バス１４４を介して映像・音声デコーダ１３４に送る。映像・音声デコーダ１３４では、供給されたデータのデコードを行い、デコードされた映像データを映像信号処理回路１２１に送り、デコードされた音声データを音声信号処理回路１３１に送る。この外部ネットワークから受信したデータを受像処理させる選択についても、中央制御ユニット１４１の制御で実行される。
【００２８】
本例のテレビジョン受像機１００の各部の動作を制御する中央制御ユニット（ＣＰＵ）１４１は、内部バス１４４で記憶部であるＲＯＭ１４２及びＳＤＲＡＭ１４３とデータ転送可能に接続させてある。これらのＲＯＭ１４２やＳＤＲＡＭ１４３には、テレビジョン受像機の動作制御に必要なデータが記憶される。そして、中央制御ユニット１４１からテレビジョン受像機内の各回路に対して制御指令を送る。
【００２９】
また、赤外線信号を受光（受信）する受光部１４５を備え、その受光部１４５で受光した赤外線信号によるリモートコントロール信号を、中央制御ユニット１４１に供給する。本例でのリモートコントロール信号の送信元としては、既に説明したように、シンプル型リモートコントロール装置１０と多機能型リモートコントロール装置２０の２種類がある。
中央制御ユニット１４１では、その受信したリモートコントロール信号のカテゴリコードや制御コードを判断して、受像機内の動作を制御する必要があると判断した場合に、テレビジョン受像機１００内の各部に対応した制御指令を送る。
【００３０】
また、リモートコントロール信号による指令で、表示パネル１２４にユーザインターフェイス用の各種案内用の表示を行う必要がある場合には、ＲＯＭ１４２などに記憶されたこれらの表示用のデータを中央制御ユニット１４１が読み出して、映像・音声デコーダ１３４を経由して映像信号処理回路１２１に送り、表示パネル１２４で表示させる表示処理を行う。この案内表示としては、文字，数字，図形表示を画面の所定箇所に加える表示形態や、メニュー画面表示を行う表示形態などの、様々な表示形態がある。
このユーザインターフェイス用の表示画面（ＵＩ画面）としては、本例の場合にはシンプル表示のＵＩ画面用データと、通常表示用のＵＩ画面用データとが、ＲＯＭ１４２に用意してあり、中央制御ユニット１４１がいずれのＵＩ画面用データを使用して表示を行うのか選択するようにしてある。
なお、図２に示した構成では、テレビジョン受像機１００の操作はリモートコントロール装置を使用して行う構成としてあるが、テレビジョン受像機１００が直接操作キーを備える構成としてもよい。
【００３１】
次に、このように構成されるテレビジョン受像機１００で、リモートコントロール装置１０及び２０からのリモートコントロール信号を受信した場合の動作例について説明する。
図３のフローチャートは、受光部１４５でリモートコントロール信号を受光した場合の、中央制御ユニット１４１での信号の判別例を示したものである。図３に従って判別処理を説明すると、まず赤外線信号によるコマンドを受信したことを判別すると（ステップＳ１１）、その受信コマンドのカテゴリコードを読み取る（ステップＳ１２）。そして、読み取ったカテゴリコードが、シンプル型リモートコントロール装置用のカテゴリコードか、或いは通常のリモートコントロール装置用のカテゴリコードかを判定する（ステップＳ１３）。
【００３２】
この判定で、シンプル型リモートコントロール装置用のカテゴリコード（図１でのカテゴリコードＴＶ２に相当）であると判定した場合には、中央制御ユニット１４１の制御で、表示パネル１２４に表示させるユーザインターフェイス画面（ＵＩ画面）として、シンプル表示のＵＩ画面で表示させる（ステップＳ１４）。
【００３３】
また、通常のリモートコントロール装置用のカテゴリコード（図１でのカテゴリコードＴＶ１に相当）であると判定した場合には、中央制御ユニット１４１の制御で、表示パネル１２４に表示させるＵＩ画面として、通常表示のＵＩ画面で表示させる（ステップＳ１５）。
【００３４】
このようにして、リモートコントロール信号を受光（受信）するごとに、そのカテゴリコードを判定して、いずれのリモートコントロール装置から送信されたのかを判定し、その判定に基づいた表示態様を選択する処理が行われる。
図４は、このような表示状態の一例を示したものである。この例では、チャンネル切替えの操作をリモートコントロール装置１０又は２０で行った場合の例である。
図４（ａ）は通常表示のＵＩ画面の例であり、図４（ｂ）はシンプル型表示のＵＩ画面の例である。
【００３５】
通常表示時には、図４（ａ）に示すように、チャンネル番号と音声出力状態を示す表示ｄ１を、画面の右上に表示させてある。ここでの表示ｄ１は、チャンネル番号を示す数字と、主音声と副音声を同時に出力させることを示す「主／副」の表示とを、予め設定されたフォントサイズで行うようにしてある。
【００３６】
シンプル型表示時には、図４（ｂ）に示すように、チャンネル番号と音声出力状態を示す表示ｄ２を、画面の右上に比較的大きな表示面積で表示させてある。ここでの表示ｄ２は、通常時の表示ｄ１に比べて、チャンネル番号の数字表示と「主／副」表示のいずれについてもフォントサイズを大幅に大きくしてある。図４（ａ）及び（ｂ）の表示については、例えばチャンネル切替えがあってから、所定時間（例えば数秒間）だけ行われる。或いは、案内表示を消すためのリモートコントロール装置１０又は２０での操作があるまで行われる。なお、図４（ｂ）に示す大きなフォントサイズでの表示ｄ２を行った場合には、チャンネル切替えから数秒間は、図４（ｂ）に示す大きなフォントサイズでの表示ｄ２を行い、その後、図４（ａ）に示す小さなフォントサイズでの表示ｄ１に変化させるようにしてもよい。
この図４に示すように表示処理が行われることで、図１に示したシンプル型のリモートコントロール装置１０を使用して操作した場合には、自動的に通常時よりも大きな文字や数字で案内表示が行われるようになる。
【００３７】
次に、テレビジョン受像機１００の画面に、二次元状にメニュー画面を表示させる場合の例を、図５に示す。この図５に示す二次元状のメニュー画面表示は、クロスメディアバーなどと称されるメニュー画面である。図５（ａ）は通常表示のＵＩ画面の例であり、図５（ｂ）はシンプル型表示のＵＩ画面の例である。
図５（ａ）に示すように、多機能型のリモートコントロール装置２０を使用してメニュー画面を表示させる操作を行った場合には、横方向での項目選択表示ｄ１１と、その項目選択表示ｄ１１で選択中の項目についての縦方向の詳細選択表示ｄ１２とが、直交する状態で行われ、原則として全ての項目について選択できる状態で行われている。リモートコントロール装置の操作で、項目選択表示ｄ１１又は詳細選択表示ｄ１２内の項目選択処理を行うことで、図５中に三角の印で示したように、表示項目が順に変化するものである。
【００３８】
図５（ｂ）に示すように、シンプル型のリモートコントロール装置１０を使用してメニュー画面を表示させる操作を行った場合には、横方向での項目選択表示ｄ１３と、その項目選択表示ｄ１３で選択中の項目についての縦方向の詳細選択表示ｄ１４とが、直交する状態で行われる。このメニュー表示は、図５（ａ）の例と同様な表示であるが、横方向での項目選択表示ｄ１３として、図５（ａ）例の表示ｄ１１から項目数を減らしてあり、基本的な選択項目又は使用頻度の高い選択項目だけを表示させてある。
図５（ｂ）の例では、縦方向の詳細選択表示ｄ１４については、図５（ａ）の例の詳細選択表示ｄ１２と同じとしてあるが、同様に使用頻度の少ない項目を表示させないようにしてもよい。
【００３９】
図６は、テレビジョン受像機１００の画面に、項目選択用のバー表示を画面の一部に行う場合の例である。この図６に示すバー表示は、例えば映像が表示された画面の下側などの所定位置に、ユーザ操作で選択可能なカテゴリの一覧を、各カテゴリを示すマークで表示させたものである。図６（ａ）は通常表示のバー表示画面の例であり、図６（ｂ），（ｃ），（ｄ）はシンプル型表示のバー表示画面の例である。
図６（ａ）に示すように、多機能型のリモートコントロール装置２０を使用してバー表示画面を表示させる操作を行った場合には、選択可能なカテゴリの一覧を、そのカテゴリを連想させる図形で構成されたマークを並べて示してある。ユーザは、その表示されたマークの中の所望のマークを選択して、その選択を確定させる操作を行うことで、選択された項目についての詳細の操作を行う別画面の表示に移る。この図６（ａ）の表示例では、選択可能なカテゴリの数を比較的多く設定してある。そして、選択されたカテゴリについては、印をつけて表示させるようにしてある。図６（ａ）の例では、ほぼ中央の位置のカテゴリであるビデオのマークを四角く囲って、選択中であることを示している。
【００４０】
シンプル型のリモートコントロール装置１０を使用してバー表示画面を表示させる操作を行った場合には、図６（ｂ），（ｃ），（ｄ）に示すようにバー表示が行われる。この場合には、使用頻度が高いカテゴリである３種類のカテゴリのマークだけを表示させてある。図６（ｂ），（ｃ），（ｄ）は、それぞれフォーカスさせる位置、即ち選択するカテゴリの位置を異なる位置としたものである。
図６（ｂ），（ｃ），（ｄ）に示すように、この場合には、各カテゴリを選択した際に、その選択されたカテゴリが選択されたことを四角く囲って示してある。さらに、その選択されたカテゴリについては、文字でカテゴリの説明を付加するようにしてある。
即ち、図６（ｂ）に示すように設定のカテゴリを選択した際には、「設定」と文字表示させ、図６（ｃ）に示すようにフォトのカテゴリを選択した際には、「フォト」と文字表示させ、図６（ｄ）に示すようにビデオのカテゴリを選択した際には、「ビデオ」と文字表示させてある。このように表示させる選択項目を少なくすると共に、選択された項目についての説明を表示させるようにしたことで、使い方があまりよく判らないユーザであっても、シンプル型のリモートコントロール装置１０を使用することで、案内に従って確実に操作できるようになる。
【００４１】
図７は、画質の設定画面の表示例である。この画質の設定画面は、例えばメニュー画面で画質の設定を選択し確定させることで表示される。図７（ａ）は通常表示の画質設定画面の例であり、図７（ｂ）はシンプル型表示の画質設定画面の例である。
図７（ａ）に示すように、多機能型のリモートコントロール装置２０を使用して画質設定画面を表示させる操作を行った場合には、このテレビジョン受像機１００で画質としてユーザ操作で設定可能な全ての調整項目と、各調整項目の現在の調整値が一覧の形式で示される。
図７（ｂ）に示すように、シンプル型のリモートコントロール装置１０を使用して画質設定画面を表示させる操作を行った場合には、このテレビジョン受像機１００で画質としてユーザ操作で設定可能な調整項目の内の代表的な調整項目である、ピクチャー調整と、そのピクチャーについての現在の調整値が示される。
【００４２】
図８は、音質の設定画面の表示例である。この音質の設定画面は、例えばメニュー画面で音質の設定を選択し確定させることで表示される。図８（ａ）は通常表示の音質設定画面の例であり、図８（ｂ）はシンプル型表示の音質設定画面の例である。
図８（ａ）に示すように、多機能型のリモートコントロール装置２０を使用して音質設定画面を表示させる操作を行った場合には、このテレビジョン受像機１００で音質としてユーザ操作で設定可能な全ての調整項目と、各調整項目の現在の調整値が一覧の形式で示される。
図８（ｂ）に示すように、シンプル型のリモートコントロール装置１０を使用して音質設定画面を表示させる操作を行った場合には、このテレビジョン受像機１００で音質としてユーザ操作で設定可能な調整項目の内の代表的な調整項目である、音声出力モードの設定と、高音及び低音の調整値とが示される。また、図８（ｂ）の設定画面では、音質調整として、話し声の帯域を聞きやすいように持ち上げる「はっきり聞こえる」モードであることの表示を、比較的大きな字で示し、そのモードのオン・オフが設定できるようにしてある。
【００４３】
図９は、画質の設定画面の例として、図７とは別の例を示したものである。この例では、図９（ａ）は通常表示の画質設定画面の例であり、図９（ｂ）はシンプル型表示の画質設定画面の例である。図９（ａ）の通常表示の画質設定画面は、図７（ａ）の画質設定画面と同じである。
そして、図９（ｂ）に示した、シンプル型のリモートコントロール装置１０を使用して表示される画質設定画面としては、画質モードの設定状態と、明るさの設定状態とを表示させ、それぞれの調整状態を示すようにしてある。さらに、画質モードについては、設定可能なモードの一覧と、それぞれのモードでの画質の調整状態についての説明の文章を表示させてある。この例では、「スタンダードモード」と「シネマモード」と「ゲームモード」のそれぞれの特徴を文章で示すようにしてある。
【００４４】
次に、本発明の他の実施の形態によるテレビジョン受像機とそのリモートコントロール装置による例を、図１０及び図１１を参照して説明する。本実施の形態の例は、テレビジョン受像機用のリモートコントロール装置として、双方向で通信が可能なリモートコントロール装置を使用した例である。
【００４５】
図１０は本例のテレビジョン受像機の構成例を示した図である。図１０において、既に説明した図２と同一の部分には同一の符号を付す。
本例のテレビジョン受像機１００′の基本的な構成は、図２で説明したテレビジョン受像機１００と同じであり、リモートコントロール信号の通信部として、リモートコントロール装置からの無線信号の受信と、リモートコントロール装置に対して無線信号の送信を行う送受信部１４８としてある。送受信部１４８は、例えばＩＥＥＥ（Institute of Electrical and Electronic Engineers）８０２．１１規格の無線信号の送受信を行う通信処理部として構成する。
【００４６】
テレビジョン受像機１００′用のリモートコントロール装置としては、シンプル型双方向リモートコントロール装置３０と、多機能型双方向リモートコントロール装置４０との、２台用意する。それぞれのリモートコントロール装置３０，４０は、テレビジョン受像機１００′の送受信部１４８と双方向でデータの伝送が可能な装置としてある。それぞれのリモートコントロール装置３０，４０では、キーなどの操作によるリモートコントロールコードを送信するだけでなく、テレビジョン受像機１００′側から送信された現在のテレビジョン受像機の動作状態などを受信して、表示などができる構成としてある。２台のリモートコントロール装置３０，４０には、それぞれ別の識別コード（ＩＤ）が設定してあり、送信データにその識別コードを付加する処理を行う。
【００４７】
テレビジョン受像機１００′の送受信部１４８でリモートコントロール信号を受信した際には、中央制御ユニット１４１で、その識別コードを判別していずれのリモートコントロール装置から送信されたのかを判別する構成としてある。そして、中央制御ユニット１４１は、その判別した識別コードに基づいて、異なる表示制御などの動作を行うようにしてある。２つのリモートコントロール装置を判別したことによる異なる動作制御については、例えば図４〜図９で説明した表示の制御を行う。
【００４８】
図１０のテレビジョン受像機１００′のその他の部分については、図２に示したテレビジョン受像機１００と同様に構成する。
【００４９】
図１１は、本例のテレビジョン受像機１００′の送受信部１４８で、リモートコントロール信号を受信した際の、中央制御ユニット１４１での判定処理例を示したものである。まずリモートコントロール装置からのコマンドを受信すると（ステップＳ２１）、そのコマンドに付加されたＩＤを読み出す（ステップＳ２２）。そして、読み出したＩＤが、シンプル型双方向リモートコントロール装置３０のＩＤか、多機能型双方向リモートコントロール装置４０のＩＤかを判別する（ステップＳ２３）。
【００５０】
この判別で、シンプル型双方向リモートコントロール装置３０のＩＤと判別した場合には、シンプル型のユーザインターフェイス用の画面表示を行い（ステップＳ２４）、多機能型双方向リモートコントロール装置４０のＩＤと判別した場合には、通常型のユーザインターフェイス用の画面表示を行う（ステップＳ２５）。
このようにして、双方向リモートコントロール装置の場合でも、上述した図２，図３などの例の場合と同様の、それぞれのリモートコントロール装置に適した制御が可能となる。
【００５１】
なお、ここまでの処理例ではテレビジョン受像機での表示などの振る舞いを変化させるだけとしたが、例えば、テレビジョン受像機側で、受信したリモートコントロール信号の送信元の判別で、テレビジョン受像機の設定情報まで切替えるようにしてもよい。
図１２は、この場合の処理例を示した図である。まず、リモートコントロール装置からのコマンドを受信すると（ステップＳ３１）、そのコマンドに付加されたＩＤを読み出す等して、送信元のリモートコントロール装置の判別を行う（ステップＳ３２）。そして、その判別したリモートコントロール装置に対応した、現在の設定情報であるプロファイルを読み出し、そのプロファイルを使用した制御動作を行う（ステップＳ３３）。そして、テレビジョン受像機側で受信するリモートコントロール信号が、別のリモートコントロール装置からの信号に変更したか否か判断する（ステップＳ３４）。そして、変更があった場合には、今まで使用していたプロファイルを保存した上で、新しいリモートコントロール装置のプロファイルを読み出し、その読み出したプロファイルを使用した処理に切替えさせる（ステップＳ３５）。
【００５２】
このようにして設定情報まで切替えることで、例えば各リモートコントロール装置を使用するユーザごとに、テレビジョン受像機の各種設定状態を直接変えることが可能となる。
ここで変更される設定状態としては、電源オンした際の音量値、電源オン時のデフォルトのチャンネル番号、入力切替状態、画面の明るさの設定値などがある。
このようにプロファイルを変える場合には、それぞれのリモートコントロール装置を同一の構成としてもよい。それぞれのリモートコントロール装置を使用するユーザが違えば、それぞれのユーザに対応した設定になる。
【００５３】
また、ここまでの例では、２種類のリモートコントロール装置で切り替える例としたが、３種類以上の異なるリモートコントロール装置を用意して、それぞれのリモートコントロール装置ごとに、テレビジョン受像機での表示を変えるようにしてもよい。
例えば、図１３に示すように、既に説明したシンプル型リモートコントロール装置１０と多機能型リモートコントロール装置２０の他に、超簡単型リモートコントロール装置５０を用意する。超簡単型リモートコントロール装置５０は、シンプル型リモートコントロール装置１０に配置したキーの数よりもさらに少ないキー配置としたリモートコントロール装置である。例えば電源キーとメニュー画面操作用のキーだけを配置したリモートコントロール装置とする。
【００５４】
このように３種類のリモートコントロール装置を用意して、テレビジョン受像機１００側で、その３種類のリモートコントロール装置からの信号を判別して、その判別に基づいて、メニュー画面表示時の表示形態を、通常の表示形態、若干簡単にした表示形態、非常に簡単にした表示形態の３種類の中から選択するようにしてもよい。
また、このように３種類のリモートコントロール装置を用意した場合で、それぞれのリモートコントロール装置ごとに、図１２に示すようなプロファイルを設定してもよい。
【００５５】
以下は、この３種類の場合のプロファイルの設定例である。
・超簡単型リモートコントロール装置のプロファイル
音量：大、画面の明るさ：ダイナミックモード、ユーザインターフェイス：一次元表示、入力切り替え：ビデオ入力１
・シンプル型リモートコントロール装置のプロファイル
音量：中、画面の明るさ：映画モード、ユーザインターフェイス：二次元表示、入力切り替え：ビデオ入力２
・多機能型リモートコントロール装置のプロファイル
音量：中、画面の明るさ：ゲームモード、ユーザインターフェイス：二次元表示、入力切り替え：ＨＤＭＩ入力２
なお、画面の明るさのダイナミックモードとは、受像機で表現可能な明るさの階調を生かした明るい表示画面であり、映画モードとは、映画の表現に適した比較的明るさが暗い表示画面であり、ゲームモードとは、ビデオゲーム機から出力される映像を高画質化などの処理をせずにそのまま表示させるモードである。また、プロファイルでの入力切り替えとは、リモートコントロール装置で入力切替キーなどを押して入力切替えを指示したときに、最初に選択される入力の種類である。
【００５６】
このようにして、リモートコントロール装置ごとに詳細な動作状態を変化させることで、各リモートコントロール装置を使用するユーザを予め決めて、操作を行うようにすることで、その使用したユーザに対応した動作が行える。
【００５７】
また、このように使用するユーザを割り当てる場合には、例えばシンプル型のリモートコントロール装置を、子供の操作用として割り当てることで、子供の年齢に合わせた視聴制限を自動的に行うようにしてもよい。例えば、シンプル型のリモートコントロール装置からのチャンネル切り替えなどの指令を受像機が受信した際には、視聴年齢制限のある番組やチャンネルは表示されない制限を行う。そして、多機能型リモートコントロール装置からのチャンネル切り替えなどの指令を受像機が受信した際には、視聴年齢制限の有無に関係なく、チャンネル切り替えを行う。
【００５８】
或いは、使用するユーザを割り当てる場合に、各ユーザの視聴履歴に応じて、番組の自動推薦などを行うようにしてもよい。この場合の各ユーザの視聴履歴の検出は、チャンネル切り替えなどのリモートコントロール信号がどのリモートコントロール装置からの送信であるかを判別して、視聴したチャンネルがどのユーザ（リモートコントロール装置）が指定したものであるかを判別して行う。
【００５９】
さらに、使用するユーザを割り当てた場合には、そのユーザごとにテレビジョン受像機側で電子掲示板の表示が行えるようにしてもよい。具体的には、第１のリモートコントロール装置を操作した際には、そのリモートコントロール装置に割り当てられたユーザ用の電子メールなどのメッセージを表示させ、第２のリモートコントロール装置を操作した際には、そのリモートコントロール装置に割り当てられたユーザ用のメッセージを表示させる。ビデオカメラを組み合わせたシステムとして、カメラ画像などによるメッセージが表示可能な場合にも、リモートコントロール装置の判別で、対応したユーザ用のメッセージを表示させる。
【００６０】
また、使用するリモートコントロール装置により、テレビジョン受像機側でメニュー画面を表示させる際の背景画像を変化させるようにしてもよい。例えば、多機能型リモートコントロール装置の操作で、テレビジョン受像機にメニュー画面を表示させる際には、木目調のメニュー画面を表示させる。シンプル型リモートコントロール装置の操作で、テレビジョン受像機にメニュー画面を表示させる際には、別のデザインのメニュー画面を表示させる。各デザインの画像は、インターネットなどを経由して、外部からダウンロードするようにしてもよい。
【００６１】
また、リモートコントロール装置の種類に応じて、表示可能なコンテンツの種類を選択するようにしてもよい。例えば、多機能型リモートコントロール装置などの高級なリモートコントロール装置の操作による際には、ハイビジョン画像（ＨＤ画像）などの高精細度の画像が放送されているチャンネルだけを選択できるようにして、スタンダード画像（ＳＤ画像）などの解像度が劣る画像が放送されるチャンネルについては、選択できないようにしてもよい。
【図面の簡単な説明】
【００６２】
【図１】本発明の一実施の形態によるシステム構成例を示す説明図である。
【図２】本発明の一実施の形態によるテレビジョン受像機の構成例を示すブロック図である。
【図３】本発明の一実施の形態による判定処理例を示すフローチャートである。
【図４】本発明の一実施の形態による画面全体の表示例を示す説明図であり、（ａ）は多機能型リモートコントロール装置で操作した際の表示例、（ｂ）はシンプル型リモートコントロール装置で操作した場合の表示例である。
【図５】本発明の一実施の形態による画面全体の表示例を示す説明図であり、（ａ）は多機能型リモートコントロール装置で操作した際の表示例、（ｂ）はシンプル型リモートコントロール装置で操作した場合の表示例である。
【図６】本発明の一実施の形態による画面の一部の表示例を示す説明図であり、（ａ）は多機能型リモートコントロール装置で操作した際の表示例、（ｂ），（ｃ），（ｄ）はシンプル型リモートコントロール装置で操作した場合のそれぞれ別の表示例である。
【図７】本発明の一実施の形態によるメニュー画面の表示例を示す説明図であり、（ａ）は多機能型リモートコントロール装置で操作した際の表示例、（ｂ）はシンプル型リモートコントロール装置で操作した場合の表示例である。
【図８】本発明の一実施の形態によるメニュー画面の表示例を示す説明図であり、（ａ）は多機能型リモートコントロール装置で操作した際の表示例、（ｂ）はシンプル型リモートコントロール装置で操作した場合の表示例である。
【図９】本発明の一実施の形態によるメニュー画面の表示例を示す説明図であり、（ａ）は多機能型リモートコントロール装置で操作した際の表示例、（ｂ）はシンプル型リモートコントロール装置で操作した場合の表示例である。
【図１０】本発明の他の実施の形態によるテレビジョン受像機の構成例を示すブロック図である。
【図１１】図１０例による判定処理例を示すフローチャートである。
【図１２】本発明の他の実施の形態による判定処理例を示すフローチャートである。
【図１３】本発明のさらに他の実施の形態によるシステム構成例を示す説明図である。
【符号の説明】
【００６３】
１０…シンプル型リモートコントロール装置、１１…チャンネル選択キー、１２…音量アップ・ダウンキー、１３…チャンネルアップ・ダウンキー、１４…電源キー、１５…機能キー、２０…多機能型リモートコントロール装置、２１…チャンネル選択キー、２２…音量アップ・ダウンキー、２３…チャンネルアップ・ダウンキー、２４…電源キー、２５…十字キー、２６…機能キー、３０…シンプル型双方向リモートコントロール装置、４０…多機能型双方向リモートコントロール装置、５０…超簡単型リモートコントロール装置、１００，１００′…テレビジョン受像機、１０３…入力端子、１０４…ＨＤＭＩ端子、１１１…地上波チューナ、１１２…ビデオデコーダ、１１３…音声アナログ／デジタル変換器、１１４…デジタルチューナ、１１５…ＭＰＥＧデコーダ、１１６…ＨＤＭＩ受信部、１２１…映像信号処理回路、１２２…グラフィック生成回路、１２３…パネル駆動回路、１２４…表示パネル、１３１…音声信号処理回路、１３２…音声増幅回路、１３３…スピーカ、１３４…映像・音声デコーダ、１４１…中央制御ユニット（ＣＰＵ）、１４２…ＲＯＭ、１４３…ＳＤＲＡＭ、１４４…内部バス、１４５…受光部、１４６…ネットワークインターフェイス部、１４７…ネットワーク端子、１４８…送受信部
【図１】
2008193425.tif 000003
【図２】
2008193425.tif 000004
【図３】
2008193425.tif 000005
【図４】
2008193425.tif 000006
【図５】
2008193425.tif 000007
【図６】
2008193425.tif 000008
【図７】
2008193425.tif 000009
【図８】
2008193425.tif 000010
【図９】
2008193425.tif 000011
【図１０】
2008193425.tif 000012
【図１１】
2008193425.tif 000013
【図１２】
2008193425.tif 000014
【図１３】
2008193425.tif 000015